(57)【要約】      （修正有）【課題】刈刃を覆う刈刃保護部材が刈刃を保護すると共に、刈刃保護部材を外すことなく草木の種類に対応した刈り込みが可能な園芸バリカンの刈刃保護部材を提供する。【解決手段】少なくとも、本体１と、該本体１の前部から突出し、前記本体１の幅方向へ往復動する刈刃２とを有する手持ち式の園芸バリカンに対し、前記刈刃２を保護する刈刃保護部材３であって、前記本体１に設けた前記刈刃保護部材３は、刈刃２から離した上方に位置して、前記刈刃２を覆うカバー３aと、該カバー３aの外周に装着したカバー保持部材３bとからなり、且つ、前記刈刃２に対し、前記刈刃保護部材３を所定の角度θに開閉する開閉手段４を具備したことを特徴とする。【選択図】図１
2015057963.tif 000002
【特許請求の範囲】
【請求項１】
少なくとも、本体（１）と、該本体（１）の前部から突出し、前記本体（１）の幅方向へ往復動する刈刃（２）とを有する手持ち式の園芸バリカンに対し、前記刈刃（２）を保護する刈刃保護部材（３）であって、
前記本体（１）に設けた前記刈刃保護部材（３）は、刈刃（２）から離した上方に位置して、前記刈刃（２）を覆うカバー（３a）と、該カバー（３a）の外周に装着したカバー保持部材（３b）とからなり、且つ、前記刈刃（２）に対し、前記刈刃保護部材（３）を所定の開閉角度（θ）に開閉する開閉手段（４）を具備したことを特徴とする園芸バリカンの刈刃保護部材。
【請求項２】
前記カバー（３a）が、透明あるいは半透明である請求項１記載の園芸バリカンの刈刃保護部材。
【請求項３】
前記開閉手段（４）が、その開閉レバー（４b）を、所定位置に安定保持する保持片（４d）有する請求項１又は２記載の園芸バリカンの刈刃保護部材。
【発明の詳細な説明】
【技術分野】
【０００１】
本発明は、園芸バリカンの刃部を保護する園芸バリカンの刈刃保護部材に関し、特には、櫛状に並ぶ刈刃を先端に有したブレードが上下に重なり、この一対のブレードが相対的に往復角運動する園芸バリカンに対し、その刈刃の保護と共に、草木の種類に対応した刈り込みが可能な園芸バリカンの刈刃保護部材に関する。
【背景技術】
【０００２】
従来、作業者が持って操作する園芸バリカンは、本体と、その本体に取り付けられた上下一対のブレードを有し、その少なくとも一方のブレードが本体に対して搖動自在に軸支されている。この搖動自在に軸支されたブレードを本体内の動力源で往復角運動させている。そして一対のブレードの先端には櫛状に並ぶ複数の刈刃が左右対称に形成され、刈刃が上下に重なり合っている。この刈刃対が、一対のブレードの相対的な往復角運動により交差と離反を繰り返して草木を刈っていた。
しかしながら、草刈機の刈刃が剥き出しのままであると、草刈の際に刈刃が隠れた石や木の切株、杭等の障害物あるいは縁石等に当たり、刈刃を損傷したり又は刈刃で怪我をする等が起こり、これらを防止するための櫛歯状の保護カバー等があるが、櫛歯状の保護カバーでは、刈らずに保護すべき細い草木等が必ずしも保護されず刈り取られていた。
【０００３】
これに対し、櫛歯状でない保護カバーとして、特許文献１（特開２００１−２８６２２３号公報）では、枝葉などの切断に用いられる庭木バリカンにおいて、刃部の上方に間隔を介して刃部を覆うためのカバーを設けた庭木バリカンが開示されている。
【０００４】
この特許文献1のカバーでは、上向きで使用しても切断した枝葉が作業者の方に飛散するのを防止でき、切断時の恐怖感を無くすというものである。
【先行技術文献】
【特許文献】
【０００５】
【特許文献１】特開２００１−２８６２２３号公報
【発明の概要】
【発明が解決しようとする課題】
【０００６】
しかしながら、上記特許文献1のカバーは、刃部にカバーを被せた状態でも刈り込み作業ができるが、草木の種類によってはカバーをその都度取り外して使用するため、その取り外しに手間を要し、しかも取り外し式のカバーではカバー自体が紛失し易く、またカバーを取り外した状態では、庭木バリカンに対するカバー自体の役目が何ら成さないという問題点を有していた。
【０００７】
本発明は、刈刃を覆う刈刃保護部材が刈刃を保護すると共に、刈刃保護部材を外すことなく草木の種類に対応した刈り込みが可能な園芸バリカンの刈刃保護部材を提供することを目的とする。
【０００８】
本発明の他の目的は、刈り込んだ草木の飛散物から作業者を保護する園芸バリカンの刈刃保護部材を提供することにある。
【課題を解決するための手段】
【０００９】
本発明は、少なくとも、本体（１）と、該本体（１）の前部から突出し、前記本体（１）の幅方向へ往復動する刈刃（２）とを有する手持ち式の園芸バリカンに対し、前記刈刃（２）を保護する刈刃保護部材（３）であって、
前記本体（１）に設けた前記刈刃保護部材（３）は、刈刃（２）から離した上方に位置して、前記刈刃（２）を覆うカバー（３a）と、該カバー（３a）の外周に装着したカバー保持部材（３b）とからなり、且つ、前記刈刃（２）に対し、前記刈刃保護部材（３）を所定の角度（θ）に開閉する開閉手段（４）を具備したことを特徴とする。
【００１０】
前記カバー（３a）が、透明あるいは半透明であるのがよい。
【００１１】
前記開閉手段（４）が、その開閉レバー（４b）を、所定位置に安定保持する保持片（４d）を有するのがよい。
【００１２】
ここで、本発明でいう刈刃保護部材（３）を所定の開閉角度（θ）に開閉するとは、少なくとも刈刃保護部材（３）の前記カバー（３a）が、前記開閉手段（４）によって、前記刈刃（２）と並行状態から前記角度（θ）が６０〜８０度まで開いたり、この角度から元の前記刈刃（２）と並行状態に閉じたりすることをいう。
【発明の効果】
【００１３】
本発明では、前記刈刃保護部材（３）は、刈刃（２）から離した上方に位置し、前記刈刃（２）を覆うカバー（３a）と、該カバー（３a）の外周に装着したカバー保持部材（３b）とからなり、且つ、前記刈刃（２）に対し、前記刈刃保護部材（３）を所定の開閉角度（θ）に開閉する開閉手段（４）を具備したことにより、前記刈刃保護部材（３）のカバー（３a）が刈刃（２）と並行の位置で草刈りすると、芝、雑草等の柔らかい草木が、刈刃（２）よりも先にカバー（３a）に当たっても、抵抗が少なく、草木の上部が容易に倒れながらカバー（３a）の下に入り込み、草木が刈刃（２）に当接し刈り込まれる。
【００１４】
また、このカバー（３a）が刈刃（２）と並行の位置で草刈りする際に、刈り取らずに保護すべき比較的硬く細い草木がカバー（３a）に当たると、その草木の抵抗が大きく刈刃（２）が草木に届かないため、保護すべき草木が刈り込まれるのを防止でき、且つ、障害物があっても、刈刃（２）よりも先に刈刃保護部材（３）が障害物に当たるので、障害物で刈刃（２）を損傷するのが防止される。  
【００１５】
他方、生垣等で刈り取る草木類が腰の強いものでは、開閉手段（４）の開閉レバー（４b）を操作して刈刃保護部材（３）を開き、刈刃（２）が直接刈り取る草木に当接できるようにし、これにより、草木が刈刃保護部材（３）に当たらず、腰の強い草木類の刈り込みができる。
この際に、刈刃保護部材（３）が約６０度から８０度に開いた状態であるから、刈り込んだ草木の飛散物が、刈刃保護部材（３）によって受け止められ前方に落ちるので、作業者の手元が飛散物から保護されるのである。      
【００１６】
要するに、本発明の最大の利点は、草木の種類に応じて、刈刃保護部材（３）を開閉して良好に草木を刈り取りできる点と、刈刃保護部材（３）が開いた状態においても、刈り込んだ草木の飛散物から作業者を保護する機能を有する点と、刈刃保護部材（３）が常に本体（１）に装着して紛失の恐れがない点とを兼ね備えていることである。
【図面の簡単な説明】
【００１７】
【図１】本発明の平面図である。
【図２】本発明の刈刃保護部材を装着した園芸バリカン示す側面図である。
【図３】本発明の刈刃保護部材を示す斜視図である。
【図４】本発明の開閉レバーの取付け状態を示す説明図である。
【図５】本発明の開閉レバーの位置を安定保持する状態を示す説明図である。
【図６】本発明の開閉レバーと保持片の関係を示す説明図である。
【発明を実施するための形態】
【００１８】
以下、本発明の実施形態につき図を基に説明する。図１に示すように、（１）は本発明に係る手持ち式の園芸バリカンの本体であり、（２）は本体（１）の前部から突出し、前記本体（１）の幅方向へ往復動する刈刃である。
【００１９】
そして、櫛状に並ぶ複数の刈刃（２）が左右対称に形成され、刈刃（２）が上下に重なり合っている。この刈刃（２）対が、一対のブレードの相対的な往復角運動により交差と離反を繰り返して草木が刈られる。これらは既に公知であるから、これ以上の説明を省略する。
【００２０】
（３）は本発明の刈刃保護部材であり、前記本体（１）に設けている。図２、図３に示すように、前記刈刃保護部材（３）は、刈刃（２）から離した上方に位置して、前記刈刃（２）を覆うカバー（３a）と、該カバー（３a）の外周に装着したカバー保持部材（３b）とからなる。
【００２１】
カバー（３a）は、透明又は半透明な樹脂製で板状のものであり、刈刃（２）全体の大きさよりも多少広い面積で刈刃（２）を上方から離れて覆うことが出来るものである。
また、カバー（３a）の前端は、各刈刃（２）の先端を結んだ形状と相似させている。
このカバー（３a）の外周にはカバー保持部材（３b）が装着されている。カバー保持部材（３b）はカバー（３a）の外周形状に形成したフレーム状のものであり、その内側に溝が形成されており、図２、図３の如く、この溝にカバー（３a）の外周の一部が嵌入し、カバー（３a）を保持している。尚、このカバー保持部材（３b）はカバー（３a）の外周の一部に限らず全周にわたってもよい。
【００２２】
（４）は前記刈刃保護部材（３）を開閉する開閉手段である。この開閉手段（４）は, 図５、図６に示すように、一対のアーム（４a）、開閉レバー（４b）、保持フレーム（４c）及び保持片（４d）とから少なくともなる。
【００２３】
アーム（４a）は、本体（１）の幅よりも広い間隔で配置した一対のものであり、カバー保持部材（３b）とアーム（４a）の一端が連結固定され、他端がカバー保持部材（３b）の後方へ向けて延設されている。
そのアーム（４a）は、図４に示すように、本体（１）の左右の側面に突設したボス部（５）に段付きネジ（６）によって回転自在に軸着している。
【００２４】
開閉レバー（４b）は、一方のアーム（４a）の後端に上向きに設けられている。
また開閉レバー（４b）は、上方途中が外側に曲折させて、開閉レバー（４b）の上部を本体（１）から並行に離し、その開閉レバー（４b）の上部が握り易いようにさせている。開閉レバー（４b）の開閉角度（θ）の範囲は、水平状態から約６０度〜８０度、好ましくは７０度であり、開閉レバー（４b）が水平状態では、カバー（３a）が刈刃（２）から約６０度〜８０度程度開き、開閉レバー（４b）が最上方位置では、カバー（３a）と刈刃（２）が並行となる。
【００２５】
保持フレーム（４c）は開閉レバー（４b）を所定位置に一時的に安定保持させるものであり、下部を本体（１）に螺着している。
また、保持フレーム（４c）は、上方に向うに従って、開閉レバー（４b）の動く軌道に合わせた曲率に曲げて形成している。
そして、図６に示すように、保持フレーム（４c）の上部と下部の表面には、保持フレーム（４c）と同じ幅でバネ板製の保持片（４d）がそれぞれ設けられ、該保持片（４d）は、互いの向き合う内側がラッパ状に開口され、その奥に向かって保持フレーム（４c）と並行に隙間を有して固定されている。この隙間は開閉レバー（４b）が丁度入る程度であり、しかも保持片（４d）の開口部近くには、内側に突出する係止部（イ）を曲折して形成している。従って開口部は内部の隙間より多少狭くなっている。
これにより、開閉レバー（４b）の開閉操作の際に、通常の使用で刈刃保護部材（３）のカバー（３a）を、刈刃（２）と並行の状態にセットしたり、又は、腰の強い草木等を刈り込むのに、約６０度〜８０度に開いた状態にセットする場合に、開閉レバー（４b）は保持片（４d）の係止部（イ）に当接し開口部を押し広げながら保持片（４d）内に入り込み、やがて保持片（４d）の開口部がバネの弾発で元に復帰し開口部を係止部（イ）で狭め、保持片（４d）内に挿入した開閉レバー（４b）を保持片（４d）が安定保持させるのである。
【００２６】
以上の如く構成された刈刃保護部材（３）においては、通常の使用状態、つまり芝生や柔らかい草木等では、図２に示すように、刈刃保護部材（３）のカバー（３a）が刈刃（２）の上方に並行で、しかも刈刃（２）の先端よりもカバー（４a）の先端が突出した状態を呈し、刈刃（３）の前方を保護しているため、刈り込み作業の際に石等の障害物があっても、先にカバー（３a）が当接して刈刃（２）への当接が防止できる。
【００２７】
他方、腰の強い草木等を刈り込む場合は、図２の二点鎖線で示すように、開閉レバー（４b）を押し下げて回し、刈刃保護部材（３）のカバー（３a）を約６０度から８０度に開くと、カバー（３a）が刈刃（２）の先端よりも後退し、腰の強い草木等に刈刃（２）が直接当たり良好に刈り込むことができる。
この祭、刈刃保護部材（３）のカバー（３a）は約６０度から８０度で前方に傾斜して位置しているため、刈り込んだ飛散物を受け止め前方に落ちるので、飛散物から作業者を保護する役目を成す。
【符号の説明】
【００２８】
１  本体
２  刈刃
３  刈刃用保護部材
３a  カバー
３b  カバー保持部材
４  開閉手段
４b  開閉レバー
４d  保持片
θ  開閉角度
【図１】
2015057963.tif 000003
【図２】
2015057963.tif 000004
【図３】
2015057963.tif 000005
【図４】
2015057963.tif 000006
【図５】
2015057963.tif 000007
【図６】
2015057963.tif 000008